(57)【要約】【課題】表示性能を良好にすることができる電気泳動表示装置などを提供する。【解決手段】互いに対向させられた第１の基板および第２の基板と、前記第１の基板に設けられた第１の電極と、前記第２の基板に設けられた第２の電極と、前記第１の電極と前記第２の電極との間に設けられた隔壁と、前記第１の電極と前記第２の電極との間に設けられた粒子および分散媒を含む分散液と、を備え、前記隔壁は、前記分散媒に類似する構造を有する第１のモノマーと、架橋材となる第２のモノマーとの、共重合体である第１の部分を有する、電気泳動表示装置。【選択図】図１
2017161834.tif 000002
【特許請求の範囲】
【請求項１】
互いに対向させられた第１の基板および第２の基板と、
前記第１の基板に設けられた第１の電極と、
前記第２の基板に設けられた第２の電極と、
前記第１の電極と前記第２の電極との間に設けられた隔壁と、
前記第１の電極と前記第２の電極との間に設けられた粒子および分散媒を含む分散液と、を備え、
前記隔壁は、前記分散媒に類似する構造を有する第１のモノマーと、架橋材となる第２のモノマーとの、共重合体である第１の部分を有する、
電気泳動表示装置。
【請求項２】
前記隔壁は、前記第１の基板に設けられた第１の隔壁部と、前記第２の基板に設けられた第２の隔壁部を有し、
前記第１の部分は、前記第１の隔壁部と前記第２の隔壁部との間に配置された、
請求項１に記載の電気泳動表示装置。
【請求項３】
前記隔壁は、前記第１の基板に設けられた第３の隔壁部を有し、
前記第１の部分は、前記第３の隔壁部と前記第２の基板との間に配置された、
請求項１または請求項２のいずれか１項に記載の電気泳動表示装置。
【請求項４】
前記隔壁は、前記第２の基板に設けられた第４の隔壁部を有し、
前記第１の部分は、前記第４の隔壁部と前記第１の基板との間に配置された、
請求項１から請求項３のいずれか１項に記載の電気泳動表示装置。
【請求項５】
互いに対向させられた第１の基板および第２の基板と、
前記第１の基板に設けられた第１の電極と、
前記第２の基板に設けられた第２の電極と、
前記第１の電極と前記第２の電極との間に設けられた隔壁と、
前記第１の電極と前記第２の電極との間に設けられた粒子および分散媒を含む分散液と、を備え、
前記隔壁は、前記粒子を通過させず前記分散媒を通過させる第２の部分を有する、
電気泳動表示装置。
【請求項６】
請求項１から請求項５のいずれか１項に記載の電気泳動表示装置を備える電子機器。
【発明の詳細な説明】
【技術分野】
【０００１】
本発明は、電気泳動表示装置および電子機器に関する。
【背景技術】
【０００２】
電気泳動表示装置（ＥＰＤ：Ｅｌｅｃｔｒｏｐｈｏｒｅｔｉｃ  Ｄｉｓｐｌａｙ）は、例えば、電子ペーパーなどで用いられている（例えば、特許文献１参照）。
電気泳動表示装置は、帯電性および分散性を有する粒子（電気泳動粒子）が注入された溶媒（分散媒）に電圧を印加して、当該粒子を所定の電極の側に動かすことで、色および反射率が異なる粒子を分離させて、表示の内容を変えることができる。一例として、白に対応する粒子（白色粒子）および黒に対応する粒子（黒色粒子）を用いた白黒表示体では、一般に、白色粒子の光散乱を利用して白を表示させ、黒色粒子の光吸収性を利用して黒を表示させている。
【０００３】
電気泳動表示装置の表示部（例えば、表示パネル）を製造する方法では、バックプレーン側の基板（画素基板）に高さがすべて同じである隔壁の構造を形成し、当該隔壁で囲まれた空間（セル）に電気泳動材料（粒子および分散媒を含む分散液）を塗布し、その後、表示側のＩＴＯ（インジウム・スズ酸化物）付きガラス基板を貼り合わせる。表示側のＩＴＯ付きガラス基板には隔壁の構造は無い。また、表示側のＩＴＯ付きガラス基板の貼り合わせを密にするために、弾性を有する薄膜（接合層）が塗布されたＩＴＯ付きガラス基板が用いられている。
【０００４】
このような表示部の構造方法では、表示側のＩＴＯ付きガラス基板を貼り合わせるときに、隔壁の端部の面（当該ガラス基板の側の面）と当該ガラス基板との間に分散液が挟まり、表示性能の低下が引き起こされる場合があった。
また、このような表示部の構造では、高温環境における駆動時に、分散液の熱膨張に起因して表示側のＩＴＯ付きガラス基板の歪みあるいはたわみが発生し、これにより、隔壁と当該ガラス基板との間に隙間が発生して、分散液の横方向への流れが発生し、表示性能の低下が引き起こされる場合があった。
【先行技術文献】
【特許文献】
【０００５】
【特許文献１】特開２０１３−２３５０９７号公報
【発明の概要】
【発明が解決しようとする課題】
【０００６】
上述のように、電気泳動表示装置では、その構造に起因して、表示性能の低下が引き起こされる場合があった。
【０００７】
本発明は、前記の点に鑑み為されたものであり、表示性能を良好にすることができる電気泳動表示装置および電子機器を提供することを目的とする。
【課題を解決するための手段】
【０００８】
上記課題の少なくとも一つを解決するために本発明の一態様は、互いに対向させられた第１の基板および第２の基板と、前記第１の基板に設けられた第１の電極と、前記第２の基板に設けられた第２の電極と、前記第１の電極と前記第２の電極との間に設けられた隔壁と、前記第１の電極と前記第２の電極との間に設けられた粒子および分散媒を含む分散液と、を備え、前記隔壁は、前記分散媒に類似する構造を有する第１のモノマーと、架橋材となる第２のモノマーとの、共重合体である第１の部分を有する、電気泳動表示装置である。
この構成により、電気泳動表示装置では、隔壁は、分散媒に類似する構造を有する第１のモノマーと、架橋材となる第２のモノマーとの、共重合体である第１の部分を有する。これにより、電気泳動表示装置では、第１の部分が存在する構造によって、表示性能を良好にすることができる。
【０００９】
また、本発明の一態様は、電気泳動表示装置において、前記隔壁は、前記第１の基板に設けられた第１の隔壁部と、前記第２の基板に設けられた第２の隔壁部を有し、前記第１の部分は、前記第１の隔壁部と前記第２の隔壁部との間に配置された、構成が用いられてもよい。
この構成により、電気泳動表示装置では、隔壁は、第１の基板に設けられた第１の隔壁部と、第２の基板に設けられた第２の隔壁部と、第１の隔壁部と第２の隔壁部との間に設けられた第１の部分を有する。これにより、電気泳動表示装置では、第１の部分が存在する構造によって、表示性能を良好にすることができる。
【００１０】
また、本発明の一態様は、電気泳動表示装置において、前記隔壁は、前記第１の基板に設けられた第３の隔壁部を有し、前記第１の部分は、前記第３の隔壁部と前記第２の基板との間に配置された、構成が用いられてもよい。
この構成により、電気泳動表示装置では、隔壁は、第１の基板に設けられた第３の隔壁部と、第３の隔壁部と第２の基板との間に設けられた第１の部分を有する。これにより、電気泳動表示装置では、第１の部分が存在する構造によって、表示性能を良好にすることができる。
【００１１】
また、本発明の一態様は、電気泳動表示装置において、前記隔壁は、前記第２の基板に設けられた第４の隔壁部を有し、前記第１の部分は、前記第４の隔壁部と前記第１の基板との間に配置された、構成が用いられてもよい。
この構成により、電気泳動表示装置では、隔壁は、第２の基板に設けられた第４の隔壁部と、第４の隔壁部と第１の基板との間に設けられた第１の部分を有する。これにより、電気泳動表示装置では、第１の部分が存在する構造によって、表示性能を良好にすることができる。
【００１２】
上記課題の少なくとも一つを解決するために本発明の一態様は、互いに対向させられた第１の基板および第２の基板と、前記第１の基板に設けられた第１の電極と、前記第２の基板に設けられた第２の電極と、前記第１の電極と前記第２の電極との間に設けられた隔壁と、前記第１の電極と前記第２の電極との間に設けられた粒子および分散媒を含む分散液と、を備え、前記隔壁は、前記粒子を通過させず前記分散媒を通過させる第２の部分を有する、電気泳動表示装置である。
この構成により、電気泳動表示装置では、隔壁は、粒子を通過させず分散媒を通過させる第２の部分を有する。これにより、電気泳動表示装置では、第２の部分が存在する構造によって、表示性能を良好にすることができる。
【００１３】
上記課題の少なくとも一つを解決するために本発明の一態様は、上記のような電気泳動表示装置を備える電子機器である。
この構成により、電気泳動表示装置では、隔壁は、上記のような所定の部分を有する。これにより、電気泳動表示装置では、当該所定の部分が存在する構造によって、表示性能を良好にすることができる。
【００１４】
以上のように、本発明に係る電気泳動表示装置および電子機器によれば、電気泳動表示装置において、隔壁は、上記のような所定の部分を有する。これにより、本発明に係る電気泳動表示装置および電子機器では、電気泳動表示装置において、当該所定の部分が存在する構造によって、表示性能を良好にすることができる。
【図面の簡単な説明】
【００１５】
【図１】本発明の一実施形態（第１実施形態）に係る電気泳動表示装置の概略的な構成例を示す図である。
【図２】本発明の一実施形態に係る表示部の概略的な構成例を示す図である。
【図３】本発明の一実施形態に係る隔壁の構造の変形例（第１の変形例）を示す図である。
【図４】本発明の一実施形態に係る隔壁の構造の変形例（第２の変形例）を示す図である。
【図５】本発明の一実施形態（第２実施形態の第１の例）に係る電子機器の概略的な構成例を示す図である。
【図６】本発明の一実施形態（第２実施形態の第２の例）に係る電子機器の概略的な構成例を示す図である。
【図７】本発明の一実施形態（第２実施形態の第３の例）に係る電子機器の概略的な構成例を示す図である。
【図８】背景技術に係る表示部の構成を説明するための図である。
【図９】背景技術に係る表示部の構成を説明するための図である。
【図１０】背景技術に係る表示部の構成を説明するための図である。
【図１１】背景技術に係る表示部の構成を説明するための図である。
【図１２】背景技術に係る表示部の構成を説明するための図である。
【発明を実施するための形態】
【００１６】
本発明の実施形態について図面を参照して詳細に説明する。
【００１７】
（第１実施形態）
［電気泳動表示装置の概要］
図１は、本発明の一実施形態（第１実施形態）に係る電気泳動表示装置１の概略的な構成例を示す図である。図１は、電気泳動表示装置１の平面図である。
電気泳動表示装置１は、表示部１１と、制御部１２を備える。
表示部１１は、縦および横（マトリクス状）に配置された複数の画素領域２１を備える。
制御部１２は、それぞれの画素領域２１ごとに、分散液に印加する電圧を制御することにより、表示する色を制御する。本実施形態では、それぞれの画素領域２１ごとに、分散媒とともに白色粒子および黒色粒子を含む分散液を有しており、白色粒子を用いた白の表示または黒色粒子を用いた黒の表示が可能である。
【００１８】
［表示部の概要］
図２は、本発明の一実施形態に係る表示部１１の概略的な構成例を示す図である。図２は、表示部１１の断面側面図である。
なお、本実施形態では、複数の画素領域２１のうち、外周に面した２以上の画素領域２１の構成は同じであり、また、外周に面しない２以上の画素領域２１の構成は同じである。また、外周に面した画素領域２１の構成と、外周に面しない画素領域２１の構成とは、外周に面するか否かに応じた相違部分以外は同じ構成である。
図２の例では、外周に面しない画素領域２１の構成例を示してある。外周に面した画素領域２１の場合には、外周の側面に封止部（図示せず）が備えられる。
【００１９】
表示部１１は、第１の基板（以下、「画素基板」という。）１０１と、第２の基板（以下、「対向基板」という。）１０２と、隔壁Ａ１〜Ａ２と、第１の電極（以下、「画素電極」という。）１３１〜１３３と、第２の電極（以下、「対向電極」という。）１４１と、分散液１５１を備える。分散液１５１は、分散媒１６１と、第１の種類の複数の電気泳動粒子（本実施形態では、白色粒子）１６２と、第２の種類の複数の電気泳動粒子（本実施形態では、黒色粒子）１６３を含む。
【００２０】
隔壁Ａ１は、画素基板１０１と対向基板１０２との間において画素基板１０１の側（図２の例では、画素電極１３１〜１３３が存在する面）に設けられた隔壁部１１１と、画素基板１０１と対向基板１０２との間において対向基板１０２の側（図２の例では、対向電極１４１が存在する面）に設けられた隔壁部１１２と、これら２個の隔壁部１１１、１１２の間に設けられたフェンス１１３を備える。
同様に、隔壁Ａ２は、画素基板１０１と対向基板１０２との間において画素基板１０１の側に設けられた隔壁部１２１と、画素基板１０１と対向基板１０２との間において対向基板１０２の側に設けられた隔壁部１２２と、これら２個の隔壁部１２１、１２２の間に設けられたフェンス１２３を備える。
【００２１】
なお、「画素基板」は「駆動基板」などと呼ばれてもよく、「対向電極」は「共通電極」などと呼ばれてもよい。
封止部（図示せず）は、表示部１１の外周の側面に設けられており、分散液１５１を封止している。なお、封止部は、例えば、隔壁Ａ１〜Ａ２と一体として構成されてもよい。
また、例えば、画素基板１０１と対向基板１０２との間において、対向基板１０２の側、あるいは、画素基板１０１の側に、接合層（図示せず）が設けられてもよい。この場合、接合層と、隔壁Ａ１、Ａ２の先端部（対向基板１０２の側の先端部、あるいは、画素基板１０１の側の先端部）とが接する。当該接合層は、例えば、１個の層のみを有してもよく、または、２個以上の層を有してもよい。
【００２２】
画素基板１０１と対向基板１０２とは、互いに対向させられて配置されている。
画素基板１０１と対向基板１０２との間に設けられた隔壁Ａ１〜Ａ２によって、仕切られた複数の画素領域２１の空間（セル）が形成されている。当該空間（セル）は、隔壁Ａ１〜Ａ２および基板（画素基板１０１、対向基板１０２）によって覆われた空間である。
画素基板１０１と対向基板１０２との間において、画素基板１０１に、画素領域２１ごとに、電極（画素電極）１３１〜１３３が設けられている。
画素基板１０１と対向基板１０２との間において、対向基板１０２に、電極（対向電極）１４１が設けられている。なお、対向基板１０２としては例えばガラス基板が用いられてもよく、対向電極１４１としては例えばＩＴＯなどの電極が用いられてもよい。
各画素領域２１には、分散液１５１が設けられている。
【００２３】
電気泳動表示装置１では、制御部１２が、電圧を駆動して、各画素電極１３１〜１３３に印加する電圧と、対向電極１４１に印加する電圧を制御することで、各画素領域２１に表示される色（本実施形態では、白色または黒色）を制御する。これにより、表示面における表示の内容が制御される。本実施形態では、対向基板１０２の側の面が、表示の内容を出力する表示面となる。
【００２４】
例えば、画素電極１３１〜１３３と対向電極１４１との間に、相対的に対向電極１４１の電圧が高くなるように電圧を印加する。すると、正に帯電された黒色粒子１６３はクーロン力によって画素電極１３１〜１３３の側に引き寄せられる。一方、負に帯電された白色粒子１６２はクーロン力によって対向電極１４１の側に引き寄せられる。この結果、表示面の側（対向電極１４１の側）には白色粒子１６２が集まることになり、表示面には当該白色粒子１６２に対応する色（白色）が表示される。
【００２５】
逆に、画素電極１３１〜１３３と対向電極１４１との間に、相対的に画素電極１３１〜１３３の電位が高くなるように電圧を印加する。すると、負に帯電された白色粒子１６２はクーロン力によって画素電極１３１〜１３３の側に引き寄せられる。一方、正に帯電された黒色粒子１６３はクーロン力によって対向電極１４１の側に引き寄せられる。この結果、表示面の側（対向電極１４１の側）には黒色粒子１６３が集まることになり、表示面には当該黒色粒子１６３に対応する色（黒色）が表示される。
【００２６】
ここで、本実施形態では、白色粒子１６２と黒色粒子１６３が用いられるが、他の構成例として、他の色に対応する粒子が用いられてもよい。
また、本実施形態では、分散液１５１に含まれる粒子として、２色（白色、黒色）に対応する２種類の粒子が用いられるが、他の構成例として、１色に対応する１種類の粒子が用いられてもよく、または、３色以上に対応する３種類以上の粒子が用いられてもよい。
例えば、赤色、緑色、青色などの顔料を用いることによって、赤色、緑色、青色などを表示する表示部１１を備える電気泳動表示装置１とすることも可能である。
【００２７】
また、他の構成例として、対向基板１０２に、画素基板１０１とは反対の側に、導光部（図示せず）および発光部（図示せず）が備えられてもよい。導光部は、発光部から発せられる光を導光し、これにより、フロントライトが実現される。この場合、画素基板１０１と導光部とを接合するために、接着部またはフレームなどが備えられてもよい。発光部としては、例えば、ＬＥＤ（Ｌｉｇｈｔ  Ｅｍｉｔｔｉｎｇ  Ｄｉｏｄｅ）が用いられてもよい。
なお、他の構成例として、バックライトが用いられてもよい。
【００２８】
また、本実施形態では、隔壁Ａ１〜Ａ２により形成される画素領域２１ごとの空間（セルとなる閉空間）が並べられた形状として、スクエアの形状（例えば、長方体が並べられた形状）が用いられるが、他の構成例として、ハニカムの形状（正六角柱が並べられた形状）など、他の形状が用いられてもよい。
【００２９】
［隔壁の構造］
上記した図２を参照して、本実施形態に係る電気泳動表示装置１の表示部１１に備えられた隔壁Ａ１〜Ａ２の構造について説明する。
図２の例では、それぞれの隔壁Ａ１、Ａ２の構造は同様である。ここでは、隔壁Ａ１を例として説明する。
隔壁Ａ１は、画素基板１０１（図２の例では、画素電極１３１〜１３３が存在する面）に形成された隔壁部１１１と、対向基板１０２（図２の例では、対向電極１４１が存在する面）に形成された隔壁部１１２と、これら２個の隔壁部１１１、１１２の間に設けられたフェンス１１３を備える。
本実施形態では、フェンス１１３は、粒子（本例では、白色粒子１６２、黒色粒子１６３）を通過させない性質を有しており、また、分散媒１６１を通過させる性質を有する。そして、フェンス１１３は、隔壁Ａ１によって仕切られる隣接するセルの間を塞いでおり、当該隣接するセルの間における粒子の流れを防ぐ。
なお、本実施形態で「フェンス」と呼んでいるものは、例えば、「フィルター」など、他の名称で呼ばれてもよい。
【００３０】
＜フェンスの材料の説明＞
フェンス１１３の材料の例を説明する。
フェンス１１３は、分散媒１６１と相溶性が高いモノマー（第１のモノマー）と、重合部位を２つ以上有する多官能性モノマー（第２のモノマー）からなる。フェンス１１３は、第１のモノマーに対して第２のモノマーをモル比で０．１〜１０％の範囲で混合した後に重合開始剤を添加することで、重合した共重合が分散液１５１と接触することで分散媒１６１を吸収して膨潤したものである。
ここで、重合の反応に関しては、ラジカル、カチオン、アニオンなどでもよく、特に限定されない。また、重合を開始させる手段も、熱、光などでもよく、特に限定されない。また、モノマーの種類（モノマー種）も、特に限定されないが、一例として、アクリル系が好ましい。
【００３１】
なお、分散媒１６１としては、例えば、透明性の高い絶縁性有機溶媒であって、誘電率が３．０以下でかつ体積固有抵抗が１０９［Ω・ｃｍ］以上であるものが望ましい。具体例として、分散媒１６１としては、炭化水素系溶媒、例えば、イソパラフィン系溶媒（：エクソン化学株式会社製のアイソパーＧ，Ｈ，Ｌ，Ｍ）、ナフテン系溶媒（：エクソン化学株式会社製のエクソールＤ３０，Ｄ４０，Ｄ８０，Ｄ１１０，Ｄ１３０）、シェル社製シェルゾールＡ，ＡＢ、日本石油株式会社製のナフテゾルＬ，Ｍ，Ｈのうちのいずれかでもよく、または、芳香族系溶媒、例えば、トルエン、キシレン、ドデシルベンゼン、高級脂肪酸エステル、シリコーンオイルのうちのいずれかでもよく、さらに、これらのうちのいずれの組み合わせの混合物でもよい。
【００３２】
＜フェンスを隔壁部に化学結合させる方法の例の説明＞
フェンス１１３を隔壁部（図２の例では、２個の隔壁部１１１、１１２のそれぞれ）に化学結合させる方法の例として、（第１の化学結合の方法の例）〜（第２の化学結合の方法の例）を説明する。
なお、ここでは、フェンス１１３を２個の隔壁部１１１、１１２のそれぞれに化学結合させて接着した構成例を示すが、他の構成例として、フェンス１１３を２個の隔壁部１１１、１１２のうちの任意の一方のみに化学結合させて接着し、他方には接着しない構成が用いられてもよい。
【００３３】
（第１の化学結合の方法の例）
本方法では、フェンス１１３を形成する隔壁部を有する基板（図２の例では、隔壁部１１１を有する画素基板１０１、隔壁部１１２を有する対向基板１０２）をＵＶ（Ｕｌｔｒａ  Ｖｉｏｌｅｔ）オゾン洗浄処理、酸素プラズマ処理等で活性化する。その後、第１のモノマーと第２のモノマーと重合開始剤の混合物を、フェンス１１３を形成する隔壁部１１１、１１２の頭頂部（フェンス１１３が形成される端部）のみにスタンプ台にて塗布し、重合反応させることで、共重合体を形成する。本方法では、前処理することで、共重合体と隔壁部１１１、１１２とが結合される。
【００３４】
（第２の化学結合の方法の例）
本方法では、フェンス１１３を形成する隔壁部を有する基板（図２の例では、隔壁部１１１を有する画素基板１０１、隔壁部１１２を有する対向基板１０２）をＵＶオゾン洗浄処理、酸素プラズマ処理等で活性化する。その後、反応性基を有するカップリング剤を、フェンス１１３を形成する隔壁部１１１、１１２の頭頂部（フェンス１１３が形成される端部）のみにスタンプ台にて塗布し、加熱乾燥させる。同様に、第１のモノマーと第２のモノマーと重合開始剤の混合物を、フェンス１１３を形成する隔壁部１１１、１１２の頭頂部（フェンス１１３が形成される端部）のみにスタンプ台にて塗布し、重合反応させることで、共重合体を形成する。本方法では、前処理することで、表面に反応性基を導入し、その導入部分と共重合体とが化学的に結合される。
ここで、カップリング剤としては、例えば、シラン系、リン酸系、チタネート系、アルミネート系などのカップリング剤が用いられてもよく、特に限定されない。
また、導入する反応性基としては、例えば、ビニル系、エポキシ系、スチリル系、メタクリル系、アクリル系、アミノ系、イソシアヌレート系、ウレイド系、メルカプト系、スルフィド系、イソシアネート系が用いられてもよく、特に限定されない。
【００３５】
なお、（第１の化学結合の方法の例）〜（第２の化学結合の方法の例）において、重合反応に関しては、ラジカル、カチオン、アニオンなどでもよく、特に限定されない。また、重合を開始させる手段に関しても、熱、光などでもよく、特に限定されない。
【００３６】
＜数値の例の説明＞
数値の例を説明する。ここでは、温度、膨潤率（膨張率）、モノマー混合比などに関して説明する。
【００３７】
（温度範囲とその体積膨張率について）
低温については、−４０［℃］（体積膨張率が−６％）である。
常温については、２５［℃］（体積膨張率が０％の基準）である。
高温については、１００［℃］（体積膨張率が７％）である。
【００３８】
（最大隙間距離について）
基準となるセルギャップ長が３０μｍであると仮定すると、セルの中央部では「常温から低温への変化」の時に約１．８μｍ収縮し、「常温から高温への変化」の時に２．１μｍ膨張する。これらに基づいて、最大の隙間距離は３．９（＝１．８＋２．１）μｍとなる。
【００３９】
（モノマーの混合比について）
上述のように、第１のモノマーに対して第２のモノマーをモル比で０．１〜１０％の範囲で混合する。好ましい一例として、当該モル比で０．５〜４％の範囲が考えられる。
なお、モノマーの混合比により、主に、架橋性モノマーの割合が決まる。本実施形態では、フェンス１１３は、分散媒１６１を通過させるが、一般に、架橋率が高くなると、分散媒１６１を通過させにくくなる。
【００４０】
第１の具体例として、イソパラフィン系溶媒のエクソンアイソパーＭを溶媒（分散媒１６１）にし、第１のモノマーをオクタデシルアクリレートとし、第２のモノマーをエチレングリコールジメタクリラートとし、重合開始剤をＡＩＢＮとし、その仕込み比を各１００：１：２として、共重合させたものは、分散媒を吸収膨潤し、１２〜１４倍の体積に膨張する。
第２の具体例として、ジメチルシリコーン系の溶媒である信越化学社製のＫＦ９６Ｌ−２ｃｓを溶媒（分散媒１６１）にし、第１のモノマーをＪＮＣ社製のＦＭ−０７２４とし、第２のモノマーをエチレングリコールジメタクリラートとし、重合開始剤をＡＩＢＮとし、その仕込み比を各１００：４：４として、共重合させたものは、分散媒を吸収膨潤し、１０〜１２倍の体積に膨張する。
【００４１】
ここで、本実施形態では、フェンス１１３は、分散媒１６１に類似する構造（類似構造）を側鎖に有するモノマー（第１のモノマー）、および架橋性を持つモノマー（第２のモノマー）を少なくとも含むモノマー混合物の共重合体であって、その内部に分散媒１６１を内包したものである。なお、当該類似構造は、例えば、分散媒１６１と誘電率が近い値であるモノマーの構造などである。
各比誘電率としては、例えば、分散媒１６１の比誘電率εｄｍと第１のモノマーの比誘電率εＭ１との比の範囲を規定する。ここで、第１のモノマーは、例えば、混合モノマーであってもよく、この場合、全体の誘電率に関する値を示す。上記した具体例では、エクソンアイソパーＭの比誘電率が１．９であり、オクタデシルアクリレートの比誘電率が２．１であり、ＫＦ９６Ｌ−２ｃｓの比誘電率が２．４２であり、ＦＭ−０７２４の比誘電率が２．７６であり、０．９＜εＭ１／εｄｍ＜１．２の範囲とする。
【００４２】
［隔壁の変形例］
図３は、本発明の一実施形態に係る隔壁Ａ１１の構造の変形例（第１の変形例）を示す図である。
図３には、画素基板２０１と、対向基板２０２と、対向基板２０２に設けられた対向電極２２１と、画素基板２０１と対向基板２０２との間に設けられた隔壁Ａ１１を示してある。
ここで、本例の表示部の構成は、図２に示される表示部１１の構成と比べて、隔壁Ａ１１の構成が異なる点を除いては、同様である。
【００４３】
図３の例では、隔壁Ａ１１は、画素基板２０１の側（図３の例では、画素電極が存在する面）に形成された隔壁部２１１と、対向基板２０２の側（図３の例では、対向電極２２１が存在する面）と隔壁部２１１との間に設けられたフェンス２１２を備える。
本例では、フェンス２１２は、粒子（本例では、白色粒子、黒色粒子）を通過させない性質を有しており、また、分散媒を通過させる性質を有する。そして、フェンス２１２は、隔壁Ａ１１によって仕切られる隣接するセルの間を塞いでおり、当該隣接するセルの間における粒子の流れを防ぐ。
【００４４】
図４は、本発明の一実施形態に係る隔壁Ａ１２の構造の変形例（第２の変形例）を示す図である。
図４には、画素基板３０１と、対向基板３０２と、対向基板３０２に設けられた対向電極３２１と、画素基板３０１と対向基板３０２との間に設けられた隔壁Ａ１２を示してある。
ここで、本例の表示部の構成は、図２に示される表示部１１の構成と比べて、隔壁Ａ１２の構成が異なる点を除いては、同様である。
【００４５】
図４の例では、隔壁Ａ１２は、対向基板３０２の側（図３の例では、対向電極３２１が存在する面）に形成された隔壁部３１１と、画素基板３０１の側（図３の例では、画素電極が存在する面）と隔壁部３１１との間に設けられたフェンス３１２を備える。
本例では、フェンス３１２は、粒子（本例では、白色粒子、黒色粒子）を通過させない性質を有しており、また、分散媒を通過させる性質を有する。そして、フェンス３１２は、隔壁Ａ１２によって仕切られる隣接するセルの間を塞いでおり、当該隣接するセルの間における粒子の流れを防ぐ。
【００４６】
［第１実施形態のまとめ］
以上のように、本実施形態に係る電気泳動表示装置１では、１種類以上の粒子（電気泳動粒子）を分散媒に分散させた分散液を２個の基板（画素基板と対向基板）によって挟み込んだ表示部において、フェンスを有する隔壁を備えて複数の画素領域（セル）を形成した。
このような構成により、本実施形態に係る電気泳動表示装置１では、表示部において、表示性能を良好にすることができる。
【００４７】
図２の例では、表示部１１において、隔壁Ａ１に関して、画素基板１０１に隔壁部１１１を設け、対向基板１０２に隔壁部１１２を設け、互いに対向して配置される２個の隔壁部１１１、１１２の隙間にフェンス１１３を配置した。
図３の例では、表示部１１において、隔壁Ａ１１に関して、画素基板２０１に隔壁部２１１を設け、互いに対向して配置される隔壁部２１１と対向基板２０２（図３の例では、対向電極２２１が存在する面）との隙間にフェンス２１２を配置した。
図４の例では、表示部１１において、隔壁Ａ１２に関して、対向基板３０２に隔壁部３１１を設け、互いに対向して配置される隔壁部３１１と画素基板３０１（図４の例では、画素電極が存在する面）との隙間にフェンス３１２を配置した。
【００４８】
ここで、図２に示される隔壁Ａ１の構造と、図３に示される隔壁Ａ１１の構造と、図４に示される隔壁Ａ１２の構造とは、例えば、１個の表示部１１において、いずれか任意の１つの構造のみが存在してもよく、または、いずれか任意の２つ以上の異なる構造が混在してもよい。
なお、例えば、画素基板１０１に、本実施形態で例示していない任意のもの（例えば、任意の層あるいは部品など）が設けられてもよい。
また、例えば、対向基板１０２に、本実施形態で例示していない任意のもの（例えば、任意の層あるいは部品など）が設けられてもよい。
【００４９】
ここで、本実施形態に関する効果の具体例を示す。
図８〜図１２は、背景技術に係る表示部の構成を説明するための図である。
背景技術に係る表示部の製造工程では、図８に示される隔壁１０１１が設けられた画素基板１００１の画素領域に対して、図９に示されるように、分散液１０２１が収容される。次に、図１０に示されるように、対向電極１００３が設けられた対向基板１００２が、画素基板１００１に設けられた隔壁１０１１の頭頂部に近付けられて、図１１に示されるように、対向基板１００２が隔壁１０１１の頭頂部と接着（接続）される。
このような表示部の構造では、図１０および図１１に示されるように表示側の対向基板１００２を貼り合わせるときに、隔壁１０１１と対向基板１００２との間に分散液１０２１が挟まり、表示性能の低下が引き起こされる場合があった。
また、このような表示部の構造では、図１２に示されるように、高温環境における駆動時に、分散液１０２１の熱膨張に起因して表示側の対向基板１００２の歪みあるいはたわみが発生し、これにより、隔壁１０１１と対向基板１００２との間で隙間が発生して、分散液１０２１の横方向（図１２の例では、方向Ｐ１）の流れが発生し、表示性能の低下が引き起こされる場合があった。
【００５０】
これに対して、本実施形態に係る電気泳動表示装置１では、上記のような問題を解消した。
例えば、本実施形態に係る電気泳動表示装置１では、表示部１１において、フェンス１１３、２１２、３１２を有する隔壁Ａ１、Ａ１１、Ａ１２を備えたことにより、表示側の対向基板１０２、２０２、３０２あるいはバックプレーン側の画素基板１０１、２０１、３０１と隔壁Ａ１、Ａ１１、Ａ１２との間における粒子（本実施形態では、白色粒子、黒色粒子）の挟み込みあるいは横流れを防ぐことができ、表示性能の低下を防止することができる。
【００５１】
具体例として、分散液１５１の体積（主に、分散媒１６１の体積）は、温度の変化に応じて、変化する。例えば、高温では、熱膨張により分散液１５１が膨張して、分散液１５１を収容している互いに対向する２個の基板（画素基板１０１、２０１、３０１と対向基板１０２、２０２、３０２）の間の距離が大きくなる（つまり、当該２個の基板が離れる）。一方、低温では、熱収縮により分散液１５１が収縮して、分散液１５１を収容している互いに対向する２個の基板（画素基板１０１、２０１、３０１と対向基板１０２、２０２、３０２）の間の距離が小さくなる（つまり、当該２個の基板が近付く）。
【００５２】
これに対して、本実施形態に係る電気泳動表示装置１では、表示部１１に備えられたフェンス１１３、２１２、３１２によって、温度変化による分散液１５１の体積変化の影響を吸収することができる。具体的には、フェンス１１３、２１２、３１２は、粒子（本実施形態では、白色粒子、黒色粒子）を通さないことによって、表示における濃度のムラの発生を抑制することができる。また、フェンス１１３、２１２、３１２は、分散媒１６１を通すことによって、分散液１５１に関する内圧の偏りの発生を抑制することができる。
これにより、例えば、電気泳動表示装置１が高温環境下で動作するときにおいても、隣接する画素領域２１（セル）の間における粒子の流れ込みが発生しないため、表示性能の低下を防止することができる。
【００５３】
（第２実施形態）
図５〜図７を参照して、本発明の実施形態に係る電子機器の概略的な構成例を示す。本実施形態では、以上の実施形態に係る電気泳動表示装置（第１実施形態に係る電気泳動表示装置１）を適用した電子機器の具体例を示す。
【００５４】
図５は、本発明の一実施形態（第２実施形態の第１の例）に係る電子機器の概略的な構成例を示す図である。
具体的には、図５は、電子機器の一例である電子ブック５０１を示す斜視図である。
電子ブック５０１は、ブック形状のフレーム５１１と、以上の実施形態に係る電気泳動表示装置１が適用された表示部５１２と、操作部５１３を備える。
【００５５】
図６は、本発明の一実施形態（第２実施形態の第２の例）に係る電子機器の概略的な構成例を示す図である。
具体的には、図６は、電子機器の一例である腕時計５５１を示す斜視図である。
腕時計５５１は、以上の実施形態に係る電気泳動表示装置１が適用された表示部５６１を備える。
【００５６】
図７は、本発明の一実施形態（第２実施形態の第３の例）に係る電子機器の概略的な構成例を示す図である。
具体的には、図７は、電子機器の一例である電子ペーパー５７１を示す斜視図である。
電子ペーパー５７１は、紙と同様の質感および柔軟性を有するリライタブルシートで構成される本体部５８１と、以上の実施形態に係る電気泳動表示装置１が適用された表示部５８２を備える。
【００５７】
なお、以上の実施形態に係る電気泳動表示装置１は、他の様々な電子機器に適用されてもよく、例えば、携帯電話、携帯用オーディオ機器等の電子機器の表示部、マニュアル等の業務用シート、教科書、問題集、情報シートなどに適用されてもよい。
【００５８】
以上のように、本実施形態に係る電子機器では、以上の実施形態に係る電気泳動表示装置１と同様な効果を得ることができる。
【００５９】
［以上の実施形態のまとめ］
一構成例として、互いに対向させられた第１の基板（実施形態では、画素基板１０１、２０１、３０１）および第２の基板（実施形態では、対向基板１０２、２０２、３０２）と、第１の基板に設けられた第１の電極（実施形態では、画素電極１３１〜１３３）と、第２の基板に設けられた第２の電極（実施形態では、対向電極１４１、２２１、３２１）と、第１の電極と第２の電極との間に設けられた隔壁（実施形態では、隔壁Ａ１〜Ａ２、Ａ１１、Ａ１２）と、第１の電極と第２の電極との間に設けられた粒子（実施形態では、白色粒子１６２、黒色粒子１６３）および分散媒（実施形態では、分散媒１６１）を含む分散液（実施形態では、分散液１５１）と、を備え、隔壁は、分散媒に類似する構造を有する第１のモノマーと、架橋材となる第２のモノマーとの、共重合体である第１の部分（実施形態では、フェンス１１３、１２３、２１２、３１２）を有する、電気泳動表示装置（実施形態では、電気泳動表示装置１）である。なお、それぞれのモノマーとしては、様々なものが用いられてもよい。
一構成例として、電気泳動表示装置において、隔壁（図２の例における隔壁Ａ１、Ａ２）は、第１の基板に設けられた第１の隔壁部（図２の例では、隔壁部１１１、１２１）と、第２の基板に設けられた第２の隔壁部（図２の例では、隔壁部１１２、１２２）を有し、第１の部分（図２の例では、フェンス１１３、１２３）は、第１の隔壁部と第２の隔壁部との間に配置された。
一構成例として、電気泳動表示装置において、隔壁（図３の例における隔壁Ａ１１）は、第１の基板に設けられた第３の隔壁部（図３の例では、隔壁部２１１）を有し、第１の部分（図３の例では、フェンス２１２）は、第３の隔壁部と第２の基板との間に配置された。
一構成例として、電気泳動表示装置において、隔壁（図４の例における隔壁Ａ１２）は、第２の基板に設けられた第４の隔壁部（図４の例では、隔壁部３１１）を有し、第１の部分（図４の例では、フェンス３１２）は、第４の隔壁部と第１の基板との間に配置された。
一構成例として、互いに対向させられた第１の基板（実施形態では、画素基板１０１、２０１、３０１）および第２の基板（実施形態では、対向基板１０２、２０２、３０２）と、第１の基板に設けられた第１の電極（実施形態では、画素電極１３１〜１３３）と、第２の基板に設けられた第２の電極（実施形態では、対向電極１４１、２２１、３２１）と、第１の電極と第２の電極との間に設けられた隔壁（実施形態では、隔壁Ａ１〜Ａ２、Ａ１１、Ａ１２）と、第１の電極と第２の電極との間に設けられた粒子（実施形態では、白色粒子１６２、黒色粒子１６３）および分散媒（実施形態では、分散媒１６１）を含む分散液（実施形態では、分散液１５１）と、を備え、隔壁は、粒子を通過させず分散媒を通過させる第２の部分（実施形態では、フェンス１１３、１２３、２１２、３１２）を有する、電気泳動表示装置（実施形態では、電気泳動表示装置１）である。
一構成例として、上記のような電気泳動表示装置を備える電子機器（例えば、図５〜図７に示される電子機器）である。
【００６０】
以上、この発明の実施形態について図面を参照して詳述してきたが、具体的な構成はこの実施形態に限られるものではなく、この発明の要旨を逸脱しない範囲の設計等も含まれる。
【符号の説明】
【００６１】
１…電気泳動表示装置、１１、５１２、５６１、５８２…表示部、１２…制御部、２１…画素領域、１０１、２０１、３０１、１００１…画素基板、１０２、２０２、３０２、１００２…対向基板、Ａ１〜Ａ２、Ａ１１、Ａ１２、１０１１…隔壁、１１１、１１２、１２１〜１２２、２１１、３１１…隔壁部、１１３、１２３、２１２、３１２…フェンス、１３１〜１３３…画素電極、１４１、２２１、３２１、１００３…対向電極、１５１、１０２１…分散液、１６１…分散媒、１６２…白色粒子、１６３…黒色粒子、Ｐ１…方向、５０１…電子ブック、５１１…フレーム、５１３…操作部、５５１…腕時計、５７１…電子ペーパー、５８１…本体部
【図１】
2017161834.tif 000003
【図２】
2017161834.tif 000004
【図３】
2017161834.tif 000005
【図４】
2017161834.tif 000006
【図５】
2017161834.tif 000007
【図６】
2017161834.tif 000008
【図７】
2017161834.tif 000009
【図８】
2017161834.tif 000010
【図９】
2017161834.tif 000011
【図１０】
2017161834.tif 000012
【図１１】
2017161834.tif 000013
【図１２】
2017161834.tif 000014